【事件の表示】
　商願２０００−１６８２２拒絶査定に対する審判事件について、次のとおり審決する。
【結　論】
　原査定を取り消す。
　本願商標は、登録すべきものとする。
【理　由】
１　本願商標
　本願商標は、「ＳＡＭＭＹ」の欧文字を標準文字で横書きしてなり、第１６類に属する願書記載の商品を指定商品として、平成１２年２月２５日に登録出願され、その後、指定商品については、同１２年９月２７日付け手続補正書により、第１６類「紙類，紙製包装用容器，家庭用食品包装フィルム，紙製ごみ収集用袋，プラスチック製ごみ収集用袋，衛生手ふき，型紙，紙製テーブルクロス，紙製テーブルナプキン，紙製タオル，紙製手ふき，紙製のぼり，紙製旗，紙製ハンカチ，紙製ブラインド，裁縫用チャコ，荷札，書籍，雑誌，カレンダー，パンフレット，その他の印刷物，書画，写真，写真立て，文房具類（「昆虫採集用具」を除く。），事務用又は家庭用ののり及び接着剤，青写真複写機，あて名印刷機，印字用インクリボン，活字，こんにゃく版複写機，自動印紙はり付け機，事務用電動式ホッチキス，事務用封かん機，消印機，製図用具，装飾塗工用ブラシ，タイプライター，チェックライター，謄写版，凸版複写機，文書細断機，封ろう，マーキング用孔開型板，郵便料金計器，輪転謄写機，観賞魚用水槽及びその附属品，かるた，トランプ，昆虫採集用具」と補正されたものである。
　
２　原査定の引用商標
　原査定において、本願の拒絶の理由に引用した登録商標は、下記の１４件（以下「引用各商標」という。）である。
（１）登録第７０６７３８号商標は、「Ｓｕｎｎｙ」の欧文字と「サニー」の片仮名文字とを書してなり、昭和３８年２月１４日登録出願、第２５類に属する商標登録原簿記載の商品を指定商品として同４１年５月１２日に設定登録され、その後、３回に亘り商標権の存続期間の更新登録がなされ、現に有効に存続しているものである。
（２）登録第１３９９８７７号商標は、「サニー」の片仮名文字を横書きしてなり、昭和５１年１１月１６日登録出願、第２５類に属する商標登録原簿記載の商品を指定商品として同５４年１１月３０日に設定登録され、その後、２回に亘り商標権の存続期間の更新登録がなされ、現に有効に存続しているものである。
（３）登録第１６３６５８６号商標は、「ＳＵＮＹ」の欧文字を横書きしてなり、昭和５５年１２月３日登録出願、第２６類に属する商標登録原簿記載の商品を指定商品として同５８年１１月２５日に設定登録され、その後、平成６年７月２８日に商標権の存続期間の更新登録がなされ、現に有効に存続しているものである。
（４）登録第２００９０２０号商標は、「ＳＵＮＹ」の欧文字と「サニー」の片仮名文字とを二段に横書きしてなり、昭和６０年４月２５日登録出願、第１３類に属する商標登録原簿記載の商品を指定商品として同６２年１２月１８日に設定登録され、その後、平成９年１１月２５日に商標権の存続期間の更新登録がなされ、現に有効に存続しているものである。
（５）登録第２０９７８９７号商標は、「ＳＵＮＹ」の欧文字と「サニー」の片仮名文字とを二段に横書きしてなり、昭和６０年４月２５日登録出願、第９類に属する商標登録原簿記載の商品を指定商品として同６３年１１月３０日に設定登録され、その後、平成１０年１０月２７日に商標権の存続期間の更新登録がなされ、現に有効に存続しているものである。
（６）登録第２０９９４５７号商標は、「ＳＵＮＹ」の欧文字と「サニー」の片仮名文字とを二段に横書きしてなり、昭和６１年５月１２日登録出願、第２５類に属する商標登録原簿記載の商品を指定商品として同６３年１２月１９日に設定登録され、その後、平成１１年１月２６日に商標権の存続期間の更新登録がなされ、現に有効に存続しているものである。
（７）登録第４１１３６６４号商標は、「ＳＵＮＮＹ」の欧文字と「サニー」の片仮名文字とを二段に横書きしてなり、平成７年１月１２日登録出願、第９類に属する商標登録原簿記載の商品を指定商品として同１０年２月１３日に設定登録され、現に有効に存続しているものである。
（８）登録第４１２０５３８号商標は、「ＳＵＮＹ」の欧文字と「サニー」の片仮名文字とを二段に横書きしてなり、平成８年７月８日登録出願、第２２類に属する商標登録原簿記載の商品を指定商品として同１０年３月６日に設定登録され、現に有効に存続しているものである。
（９）登録第４１３８９４３号商標は、「ＳＵＮＹ」の欧文字と「サニー」の片仮名文字とを二段に横書きしてなり、平成８年７月８日登録出願、第６類に属する商標登録原簿記載の商品を指定商品として同１０年４月２４日に設定登録され、現に有効に存続しているものである。
（１０）登録第４１６０２２８号商標は、「ＳＵＮＹ」の欧文字と「サニー」の片仮名文字とを二段に横書きしてなり、平成８年７月８日登録出願、第２１類に属する商標登録原簿記載の商品を指定商品として同１０年６月２６日に設定登録され、現に有効に存続しているものである。
（１１）登録第４１７３７５０号商標は、「ＳＵＮＹ」の欧文字と「サニー」の片仮名文字とを二段に横書きしてなり、平成８年１０月３０日登録出願、第１６類に属する商標登録原簿記載の商品を指定商品として同１０年８月７日に設定登録され、現に有効に存続しているものである。
（１２）登録第４１８３３４８号商標は、「ＳＵＮＹ」の欧文字と「サニー」の片仮名文字とを二段に横書きしてなり、平成８年７月８日登録出願、第２０類に属する商標登録原簿記載の商品を指定商品として同１０年９月４日に設定登録され、現に有効に存続しているものである。
（１３）登録第４２０１６７３号商標は、「ＳＵＮＹ」の欧文字と「サニー」の片仮名文字とを二段に横書きしてなり、平成８年１０月２４日登録出願、第２６類に属する商標登録原簿記載の商品を指定商品として同１０年１０月２３日に設定登録され、現に有効に存続しているものである。
（１４）登録第４２６５７００号商標は、「ＳＵＮＹ」の欧文字と「サニー」の片仮名文字とを二段に横書きしてなり、平成８年７月８日登録出願、第１６類に属する商標登録原簿記載の商品を指定商品として同１１年４月２３日に設定登録され、現に有効に存続しているものである。
　
３　当審の判断
　本願商標は、前記のとおり、「ＳＡＭＭＹ」の文字を書してなるところ、該文字は、特定の意味を有しない造語と認められるものであるから、これからは、一般に親しまれた英語読み風に「サミー」の称呼を生ずるとみるのが自然である。
　他方、引用各商標は、「ＳＵＮＮＹ」、「サニー」及び「ＳＵＮＹ」の各文字に相応して「サニー」の称呼を生ずるものと認められる。
　そこで、本願商標と引用各商標との類否について判断するに、それぞれの構成は前記のとおりであるから、外観においては十分区別し得るものである。
　次に、本願商標から生ずる「サミー」の称呼と引用各商標から生ずる「サニー」の称呼とを比較するに、この両称呼は、共に長音を含む３音構成からなり、第２音において「ミ」と「ニ」の音の差異を有し、他の音を共通にするものである。
　そして、この「ミ」と「ニ」の差異音は、前者は子音（ｍ）と母音（ｉ）の結合した音であり、後者は子音（ｎ）と母音（ｉ）の結合した音であるところ、該差異音は、母音（ｉ）を共通にするものであるとしても、末尾の長音（ー）が前音の母音（ｉ）に吸収されて弱く発音、聴取されることによって、恰も２音の如く聴取される短い音構成からなるものであるから、両称呼においては、該差異音の称呼全体へ及ぼす影響は決して小さいものとはいえず、両称呼をそれぞれ一連に称呼しても、互いに相紛れるおそれはないというのが相当である。
　さらに、本願商標は、前記したとおり特定の意味を有しない造語よりなるものであるから、観念については比較することができない。
　してみれば、本願商標と引用各商標とは、外観、称呼及び観念のいずれの点においても互いに相紛れるおそれのない非類似の商標ということができる。
　したがって、本願商標を商標法第４条第１項第１１号に該当するとした原査定は妥当ではなく、取消しを免れない。
　その他、本願について拒絶の理由を発見しない。
　よって、結論のとおり審決する。